【手続補正書】
【提出日】平成28年4月5日(2016.4.5)
【手続補正１】
【補正対象書類名】明細書
【補正対象項目名】０００９
【補正方法】変更
【補正の内容】
【０００９】
前記課題を解決するために、本発明のネイルプリント装置は、
指の爪に接触して前記爪に描画を施す先端部を有する描画用具と、
前記描画用具の前記先端部が挿入可能で、挿入された前記先端部を覆う形状を有するキャップ部材と、
前記キャップ部材を保持し、前記指が設けられる位置とは異なる待機位置に前記描画用具があって前記描画を行っていないとき、前記描画用具を前記先端部が前記キャップ部材に覆われている状態に保持し、前記描画を開始する前に、前記先端部と前記キャップ部材とを互いに離間させる接離機構と、
を備え、
前記接離機構は、位置が固定された移動防止部材を有し、前記移動防止部材は、前記接離機構が前記描画用具の前記先端部を前記キャップ部材に覆われている状態に保持しているときに、前記描画用具に接触して、前記描画用具の前記先端部が前記キャップ部材から離間する方向に移動することを防止することを特徴としている。
【手続補正２】
【補正対象書類名】明細書
【補正対象項目名】００１０
【補正方法】変更
【補正の内容】
【００１０】
また、本発明のネイルプリント装置の印刷方法は、
ネイルプリント装置の制御方法において、
前記ネイルプリント装置は、指の爪に接触して前記爪に描画を施す先端部を有する描画用具と、前記描画用具の前記先端部が挿入可能で、挿入された前記先端部を覆う形状を有するキャップ部材と、位置が固定された移動防止部材と、を有し、
前記指が設けられる位置とは異なる待機位置に前記描画用具があって前記描画を行っていないとき、前記描画用具を、前記先端部が前記キャップ部材に覆われている状態に保持し、
前記描画を開始する前に、前記先端部と前記キャップ部材とを互いに離間させ、
前記描画用具の前記先端部が前記キャップ部材に覆われている状態に保持しているときに、前記移動防止部材を前記描画用具に接触させて、前記描画用具の前記先端部が前記キャップ部材から離間する方向に移動することを防止することを特徴としている。
【手続補正３】
【補正対象書類名】特許請求の範囲
【補正対象項目名】全文
【補正方法】変更
【補正の内容】
【特許請求の範囲】
【請求項１】
指の爪に接触して前記爪に描画を施す先端部を有する描画用具と、
前記描画用具の前記先端部が挿入可能で、挿入された前記先端部を覆う形状を有するキャップ部材と、
前記キャップ部材を保持し、前記指が設けられる位置とは異なる待機位置に前記描画用具があって前記描画を行っていないとき、前記描画用具を前記先端部が前記キャップ部材に覆われている状態に保持し、前記描画を開始する前に、前記先端部と前記キャップ部材とを互いに離間させる接離機構と、
を備え、
前記接離機構は、位置が固定された移動防止部材を有し、前記移動防止部材は、前記接離機構が前記描画用具の前記先端部を前記キャップ部材に覆われている状態に保持しているときに、前記描画用具に接触して、前記描画用具の前記先端部が前記キャップ部材から離間する方向に移動することを防止することを特徴とするネイルプリント装置。
【請求項２】
前記描画用具は一端部と他端部とを有する棒状の形状を有し、
前記先端部は前記一端部に設けられ、
前記接離機構は、前記待機位置での前記キャップ部材の位置を一定に保持するキャップ部材保持部を有し、
前記移動防止部材は、前記描画用具の前記他端部に接して、前記待機位置で、前記描画用具を前記先端部が前記キャップ部材に覆われている状態に保持することを特徴とする請求項１に記載のネイルプリント装置。
【請求項３】
前記接離機構は、前記描画用具を、前記描画を施す位置から前記待機位置に移動させる描画用具移動機構を備え、
前記移動防止部材は、前記描画用具移動機構による前記描画用具の前記待機位置への移動により前記描画用具が前記待機位置に近づくにつれて、前記先端部が前記キャップ部材から離間した位置にある前記描画用具の前記他端部に接して、前記描画用具を、前記先端部が前記キャップ部材に近づく方向に移動させる方向に傾斜した傾斜面を有していることを特徴とする請求項２に記載のネイルプリント装置。
【請求項４】
前記キャップ部材保持部は、前記描画用具移動機構による前記描画用具の前記待機位置への移動に応じて、前記キャップ部材を、前記先端部の直下に維持しながら、前記待機位置から離間した位置から前記待機位置に移動させる第１キャップ部材移動機構を有することを特徴とする請求項３に記載のネイルプリント装置。
【請求項５】
前記移動防止部材は、前記待機位置において、前記描画用具の前記他端部が嵌め込まれて、前記描画用具の該描画用具の長さ方向に沿って移動することを防止する移動防止部を備えることを特徴とする請求項２に記載のネイルプリント装置。
【請求項６】
前記接離機構は、前記描画用具を、前記描画を施す位置から前記待機位置に移動させる移動機構を備え、
前記キャップ部材保持部は、前記移動機構による前記描画用具の前記待機位置への移動により前記描画用具が前記待機位置に近づくにつれて、前記キャップ部材を、前記先端部の直下に維持しながら、前記先端部に近づく方向に移動させる第２キャップ部材移動機構を有することを特徴とする請求項５に記載のネイルプリント装置。
【請求項７】
前記移動防止部は、前記接離機構が、前記描画用具の前記先端部と前記キャップ部材とを互いに離間させるように移動させる際に、前記描画用具が前記キャップ部材の移動に追従して移動することを防止することを特徴とする請求項６に記載のネイルプリント装置。
【請求項８】
ネイルプリント装置の制御方法において、
前記ネイルプリント装置は、指の爪に接触して前記爪に描画を施す先端部を有する描画用具と、前記描画用具の前記先端部が挿入可能で、挿入された前記先端部を覆う形状を有するキャップ部材と、位置が固定された移動防止部材と、を有し、
前記指が設けられる位置とは異なる待機位置に前記描画用具があって前記描画を行っていないとき、前記描画用具を、前記先端部が前記キャップ部材に覆われている状態に保持し、
前記描画を開始する前に、前記先端部と前記キャップ部材とを互いに離間させ、
前記描画用具の前記先端部が前記キャップ部材に覆われている状態に保持しているときに、前記移動防止部材を前記描画用具に接触させて、前記描画用具の前記先端部が前記キャップ部材から離間する方向に移動することを防止することを特徴とするネイルプリント装置の制御方法。
【請求項９】
前記描画用具は一端部と他端部とを有する棒状の形状を有して、前記先端部は前記一端部に設けられ、
前記待機位置で前記キャップ部材の位置を一定に保持し、
前記移動防止部材を前記描画用具の前記他端部に接触させて、前記待機位置で、前記描画用具を前記先端部が前記キャップ部材に覆われている状態に保持することを特徴とする請求項８に記載のネイルプリント装置の制御方法。
【請求項１０】
前記移動防止部材は、前記描画用具の前記他端部に接し、前記描画用具が前記描画を施す位置から前記待機位置に近づくにつれて、前記先端部が前記キャップ部材に近づく方向に傾斜した傾斜面を有し、
前記移動防止部材の前記傾斜面を前記他端前に接触させながら前記描画用具を前記待機位置へ向けて移動させて、前記描画用具を、前記先端部が前記ギャップ部材から離間した位置から前記先端部が前記キャップ部材に近づく方向に移動させることを特徴とする請求項９に記載のネイルプリント装置の制御方法。
【請求項１１】
前記描画用具を前記待機位置へ向けて移動させているときに、前記キャップ部材を、前記先端部の直下に維持しながら、前記待機位置から離間した位置から該待機位置に移動させることを特徴とする請求項１０に記載のネイルプリント装置の制御方法。
【請求項１２】
前記移動防止部材は、前記待機位置において、前記描画用具の前記他端部が嵌め込まれて、前記描画用具が該描画用具の長さ方向に沿って移動することを防止する移動防止部を備え、
前記描画用具を前記待機位置へ向けて移動させているときに、前記移動防止部により前記描画用具が該描画用具の長さ方向に沿って移動することを防止しながら、前記描画用具が前記待機位置に近づくにつれて、前記キャップ部材を、前記先端部の直下に維持しながら、前記先端部に近づく方向に移動させることを特徴とする請求項９に記載のネイルプリント装置の制御方法。
【請求項１３】
前記描画用具の前記先端部と前記キャップ部材とを互いに離間させるように移動させる際に、前記移動防止部により前記描画用具が該描画用具の長さ方向に沿って移動することを防止して、前記描画用具が前記キャップ部材の移動に追従して移動することを防止することを特徴とする請求項１２に記載のネイルプリント装置の制御方法。